(57)【要約】【課題】ＬＥＤ発光素子により、炎を表現する電子装飾具において、従来の技術では、屋内の蝋燭等の小さな炎を実現することはできるが、屋外に設置されるかがり火のような大きな炎や風による炎のリアルな動きまでは表現することはできない。【解決手段】本発明の電子装飾具１０は、複数のＬＥＤ発光素子２５と、ＬＥＤ発光素子２５と所望の距離をおいて配設された透明性かつ表面が凹凸状の光拡散板２８と、ＬＥＤ発光素子２５の輝度制御を行なう制御部１８とを備え、制御部１８が、複数の炎の形状をした炎発光パターンを所望の時間間隔で切り換えることにより、リアルな炎の動きを表現できるようにした。【選択図】図１
2006079897.tif 000002
【特許請求の範囲】
【請求項１】
複数のＬＥＤ発光素子を配設した発光部と、透明性を有し表面の形状が凹凸状の光拡散板と、前記発光部の個々の前記ＬＥＤ発光素子の点滅を制御する制御部と、前記制御部が動作するためのプログラム及び炎の形状で異なる複数の炎発光パターンのデータなどを格納する記憶部とを備え、前記光拡散板は、前記複数のＬＥＤ発光素子と所望の距離をおいて配設され、前記制御部は、前記炎発光パターンを所望の時間間隔で切り換えながら前記複数のＬＥＤ発光素子を点滅制御することを特徴とする電子装飾具。
【請求項２】
前記炎発光パターンは炎の形状の周辺にいくに従い、輝度を低くすることを特徴とする請求項１に記載の電子装飾具。
【請求項３】
前記炎発光パターンをランダムに切り換えることを特徴とする請求項１又は２に記載の電子装飾具。
【請求項４】
前記複数のＬＥＤ発光素子が異なる発光色の発光素子からなることを特徴とする請求項１乃至３のいずれかに記載の電子装飾具。
【請求項５】
風向センサーを備え、前記風向センサーの検出値により炎発光パターンを切り換えることを特徴とする請求項１乃至４のいずれかに記載の電子装飾具。
【請求項６】
風速センサーを備え、前記風速センサーの検出値により、炎発光パターンの切り換え周期を変更することを特徴とする請求項１乃至５のいずれかに記載の電子装飾具。
【発明の詳細な説明】
【技術分野】
【０００１】
本発明は、複数のＬＥＤ発光素子を用いた電子装飾具に関し、特に炎を表現する電子装飾具に関するものである。
【背景技術】
【０００２】
従来から炎は、例えば、仏壇等で使用される蝋燭、あるいは、飲食店の店先などに設置されたかがり火など、人間生活のさまざまな場面で使用され、人の心に安らぎなどの効果を与えてきた。
【０００３】
しかしながらその反面、炎は、取扱いを誤ると、火傷や時には火災につながるなどの安全性の面で課題がある。
【０００４】
前記課題に鑑み、近年、ＬＥＤ発光素子を利用することにより、安全でかつ、実際の炎のように見える電子装飾具が提案されている。
【０００５】
このような電子装飾具として、特許文献１には、仏壇などに使用される蝋燭等の炎を実現した技術が公開されている。
【０００６】
図１１は特許文献１に記載された電子炎灯を示したものであり、電子炎灯１は、半透明のプラスチック製の炎形ケース５と、炎形ケース５の内部に、上向きに近接させた状態で配設されたＬＥＤ発光素子２、３と、端子をコの字型に折り曲げ下向きに配設されたＬＥＤ発光素子４と、発振回路からなる制御基板（図示せず）とを備え、ＬＥＤ発光素子２，３を不規則に点滅させ、ＬＥＤ発光素子４を常時点灯状態とすることにより、あたかも蝋燭の炎のように見えるというものである。
【特許文献１】特開平７−３２６２１２号公報
【発明の開示】
【発明が解決しようとする課題】
【０００７】
しかしながら、前記従来の技術は、屋内における炎を表現するための技術であり、屋外における炎の火柱の強弱あるいは風により左右に揺れるなどの表現は、特許文献１に記載された構成では表現できない。すなわち、特許文献１に記載の構成は、蝋燭の炎のように、比較的小さな炎の動きは表現できるが、例えば、飲食店の店先などに設置されるかがり火のような大きな炎は表現できない。
【０００８】
この対応として、ＬＥＤ発光素子の個数を増やすことも考えられるが、端子の形状の異なるＬＥＤ発光素子の製造及び配設の複雑化、また上向きのＬＥＤ発光素子については、個々に発振回路が必要となり制御回路が複雑化するなど製造上の課題がある。
【０００９】
本発明は、前記課題に鑑み、ＬＥＤ発光素子により屋外における炎をよりリアルに表現ができ、更に容易に製造することができる電子装飾具を提供することを目的とする。
【課題を解決するための手段】
【００１０】
上記目的を達成するために、請求項１に記載の発明は、複数のＬＥＤ発光素子を面状に配設した発光部と、透明性を有し表面の形状が凹凸状の光拡散板と、前記発光部の個々の前記ＬＥＤ発光素子の点滅を制御する制御部と、前記制御部が動作するためのプログラム及び炎の形状で異なる複数の炎発光パターンのデータなどを格納する記憶部とを備え、前記光拡散板は、前記複数のＬＥＤ発光素子と所望の距離をおいて配設され、前記制御部は、前記炎発光パターンを所望の時間間隔で切り換えながら前記複数のＬＥＤ発光素子を点滅制御する電子装飾具である。
【００１１】
係る構成によれば、光拡散板により、点灯したＬＥＤ発光素子の発光部をぼやかすことができ、かつＬＥＤ発光素子が面状に配設されているため、炎の動きをリアルに表現するためのさまざまなパターンを発光させることが可能となる。
【００１２】
また、請求項２に記載の発明は、請求項１に記載の電子装飾具において、炎発光パターンにおける炎の形状の周辺にいくに従い、輝度を低く設定する電子装飾具である。
【００１３】
係る構成によれば、炎の周辺の淡い色も表現でき、更にリアルな炎を表現できる。
【００１４】
また、請求項３に記載の発明は、請求項１または２に記載の電子装飾具において、炎発光パターンをランダムに切り換える電子装飾具である。
【００１５】
係る構成によれば、不規則な炎の動きを表現することが可能となる。
【００１６】
また、請求項４に記載の発明は、請求項１乃至３のいずれかに記載の電子装飾具において、複数のＬＥＤ発光素子が異なる発光色の発光素子からなる電子装飾具である。
【００１７】
係る構成によれば、単一色のＬＥＤ発光素子で発光させた場合に比べ、更に微妙な色合いを表現できる。
【００１８】
また、請求項５に記載の発明は、請求項１乃至４のいずれかに記載の電子装飾具において、風向センサーを備え、前記風向センサーの検出値により炎発光パターンを切り換える電子装飾具である。
【００１９】
係る構成によれば、風向センサーの検出値により、炎発光パターンを変えることができ、風の影響による炎の動きを表現することができる。
【００２０】
また、請求項６に記載の発明は、請求項１乃至５のいずれかに記載の電子装飾具において、風速センサーを備え、前記風速センサーの検出値により、炎発光パターンの切り換え周期を変更する電子装飾具である。
【００２１】
係る構成によれば、風の強さによる炎の動きを表現することができる。
【発明の効果】
【００２２】
以上のように、本発明の電子装飾具によれば、屋外における炎の火柱の強弱あるいは、風による炎の動きなどを表現することができる。
【００２３】
また、本発明の電子装飾具は、面状に配設したＬＥＤ発光素子を使用することで実現でき、従来のようなＬＥＤ発光素子の端子を曲げるなどの複雑な製造工程を必要とせず、容易に組立てることができる。
【発明を実施するための最良の形態】
【００２４】
以下、本発明の実施の形態について図面を参照しながら説明する。
【００２５】
（実施の形態１）
本発明の実施の形態１について説明する。
【００２６】
図１（ａ）は、本発明の電子装飾具１０の断面斜視図、図１（ｂ）は、内部構造を示す断面図であり、図２（ａ）は、図１（ｂ）における矢印Ａ方向から見た外観図、図２（ｂ）は、図１（ｂ）におけるＢ−Ｂにおける断面を矢印Ａ方向から見た断面図である。
【００２７】
図１（ａ）及び（ｂ）に示されるように、電子装飾具１０は、本体ケース１１と、発光体として、例えば橙色の複数のＬＥＤ発光素子２５が基板１７上に面状でかつ底部３２に対し垂直に配設された発光部１２と、ＣＰＵ等の電子部品１５及び電源回路（図示せず）が基板１４上に配設された制御部１８と、制御部１８を本体ケース１１に固定する固定金具２０と、透明性かつ表面に凹凸３０の形状を有し、発光部１２からの距離２１が一定になるように配設された光拡散板２８と、制御部１８と発光部１２とを電気的に接続するケーブル１３と、電源を供給するための電源コード３１とを備え、光拡散板２８の凹凸３０は底部３２に対し、平行になるように配設されている。
【００２８】
また、制御部１８は、図３の内部ブロック図に示されるように、商用電源から内部回路に必要な電圧に変換する電源部３７と、プログラムにより発光部１２の制御を行なうＣＰＵ３６と、ＣＰＵ３６が動作するためのプログラムや発光部１２の炎発光パターンのデータ等を格納する記憶部３５と、発光部１２に配設された個々のＬＥＤ発光素子２５のＣＰＵ３６からの信号に基づいて点滅制御を行なうＬＥＤ駆動部４０とを備え、ＬＥＤ発光素子２５の輝度制御においては、図４に示されるようなパルス波形の信号により点滅制御され、「Ｈ」にするとＬＥＤ発光素子２５が点灯し、１周期の中で、「Ｈ」の時間が長いほど輝度が高くなる。
【００２９】
また、本発明は、図５（ａ）に示されるような炎の形状をした炎発光パターンを備え、各ＬＥＤ発光素子２５の輝度は、図５（ｂ）に示されるような輝度テーブル５０として、記憶部３５に格納され、ＣＰＵ３６は、輝度テーブル５０を参照しながら、各ＬＥＤ発光素子２５の輝度制御を行なう。
【００３０】
なお、輝度テーブル５０の各ＬＥＤ発光素子２５に対応した輝度情報５２の数値は、各ＬＥＤ発光素子２５の輝度を示し、数値が大きいほど、輝度は高い。
【００３１】
次に上記構成により、ＬＥＤ発光素子２５を点滅発光させた場合の見え方について説明する。
【００３２】
光拡散板２８の外から見た場合、ＬＥＤ発光素子２５からの光は、光拡散板２８により、図６に示されるように底部３２に対し、矢印６１の方向に伸びたように見え、更に周辺部６０の輝度は、徐々に低くなるため、淡い色合いが表現でき、更に図７（ａ）〜（ｅ）に示されるような複数の炎発光パターンを、例えば２０〜５０ｍＳの時間間隔で切り換えると、人間の目の残像効果により、あたかも光拡散板２８の内部で、炎が燃え盛っているように見える。
【００３３】
また、図５（ｂ）の矢印５２ａ、５２ｂの方向にいくに従い、すなわち炎の形状の周辺にいくに従い、徐々に輝度を低くすることにより、更に淡い色を表現できるため、よりリアルに見える。
【００３４】
また、図７（ａ）〜（ｅ）の炎発光パターンをランダムに切り換えることにより、炎の不規則な動きを表現することができる。
【００３５】
また、複数のＬＥＤ発光素子を単一色で構成するのではなく、例えば、黄色のＬＥＤ発光素子を所々使用することにより、多彩な色を表現できるため、更にリアルな炎の表現ができる。
【００３６】
以上説明したように、本発明の電子装飾具１０によれば、面状に配設された複数のＬＥＤ発光素子２５により、大きな炎を表現でき、更に形状の異なる炎発光パターンを所望の時間間隔で切り換えることにより、屋外における炎の動きをリアルに表現することができる。
【００３７】
また、本発明の電子装飾具１０では、炎発光パターンは、プログラムにより、制御されているため、さまざまな炎発光パターンを表現することが可能となる。
【００３８】
また、本説明の電子装飾具１０では、複数のＬＥＤ発光素子２５の端子の形状を変更するなど、特別な工程が必要なく、基板１７上に実装すればよいため容易に組立てを行なうことができる。
【００３９】
（実施の形態２）
本発明の実施の形態２について、図面を参照しながら説明する。
【００４０】
なお、図を説明する上で、既に説明した構成については、同一符号を付し説明を省略する。
【００４１】
図８の構成図に示されるように、電子装飾具８０は、風向きを検出するための風向センサー８１を備えている。
【００４２】
係る構成により、例えば、図９（ａ）及び図９（ｂ）に示されるように、風向きにより、炎発光パターンを変更することができるため、風による炎のゆらめきを表現することができる。
【００４３】
（実施の形態３）
本発明の実施の形態３について、図面を参照しながら説明する。
【００４４】
なお、図を説明する上で、既に説明した構成については、同一符号を付し説明を省略する。
【００４５】
図１０の構成図に示されるように、電子装飾具１００は、風速を検出するための風速センサー１０１を備えている。
【００４６】
係る構成により、風速を検出できるため、風の強さによる炎発光パターンの切り換え周期を変更でき、風速が強い場合は、炎発光パターンの切り換え周期を早くし、風速が弱い場合は、炎発光パターンの切り換え周期を遅くすることにより、風による炎の動きを表現することができる。
【００４７】
以上、詳細に説明したように、本発明によれば、さまざまな炎の表現が可能となるとともに、リアルな炎を表現することが可能となる。
【００４８】
なお、上記説明では、ＬＥＤ発光素子の色を橙色で説明したが、これに限られるものではなく、赤青緑の３原色を備えたＬＥＤ発光素子を使用してもよい。
【産業上の利用可能性】
【００４９】
本発明にかかる技術は、複数のＬＥＤ発光素子を使用し、擬似的に炎を表現したりする電子装飾具等の用途に有用である。
【図面の簡単な説明】
【００５０】
【図１】（ａ）本発明の電子装飾具の内部構造を示す断面斜視図、（ｂ）本発明の電子装飾具の内部構造を示す断面図
【図２】（ａ）本発明の電子装飾具を正面から見た外観図、（ｂ）本発明の電子装飾具の正面から見た断面図
【図３】本発明の電子装飾具の制御部のブロック図
【図４】本発明の電子装飾具の輝度制御に係る信号波形を示す図
【図５】本発明の電子装飾具の炎発光パターンを示す図
【図６】本発明の電子装飾具の側面から見た断面図
【図７】本発明の電子装飾具の炎発光パターンを示す図
【図８】本発明の第２の実施形態を示す構成図
【図９】本発明の第２の実施形態による炎発光パターンを示す図
【図１０】本発明の第３の実施形態を示す構成図
【図１１】従来の電子装飾具の一実施例を示す図
【符号の説明】
【００５１】
１  炎形ケース
２、３、４、２５  ＬＥＤ発光素子
【図１】
2006079897.tif 000003
【図２】
2006079897.tif 000004
【図３】
2006079897.tif 000005
【図４】
2006079897.tif 000006
【図５】
2006079897.tif 000007
【図６】
2006079897.tif 000008
【図７】
2006079897.tif 000009
【図８】
2006079897.tif 000010
【図９】
2006079897.tif 000011
【図１０】
2006079897.tif 000012
【図１１】
2006079897.tif 000013